(57)【特許請求の範囲】
【請求項１】
網を介して互いに接続された複数の基地局、及び前記各基地局と通信可能な位置に存在する移動局を含んで構成された移動通信システムであって、
前記基地局は、
前記移動局に送信すべき送信データの一部の抽出又は全部の複製のいずれかを行い、抽出した抽出データ又は複製した複製データを他の基地局を介して前記移動局に送信する間接送信手段と、
前記抽出が行われた場合には、前記送信データの残りを前記移動局に送信し、前記複製が行われた場合には、前記送信データの全部を前記移動局に送信する直接送信手段と、
を有し、
前記移動局は、
前記基地局及び前記他の基地局から送信された各データが同一か否かを判断する判断手段と、
前記各データが同一の場合には、ダイバーシチ受信を行い、前記各データが異なる場合には、前記各データを個別に受信する受信手段と、
を有し、
前記基地局の前記間接送信手段は、
前記送信データがリアルタイム受信を要するか否かを判断するデータ判断手段と、
前記送信データがリアルタイム受信を要しない場合には、前記送信データの一部の抽出を行い、前記送信データがリアルタイム受信を要する場合には、前記送信データの全部の複製を行う選択実行手段と、
を含むことを特徴とする移動通信システム。
【請求項２】
前記基地局の前記間接送信手段は、
前記送信データの一部の抽出を行う場合、前記基地局と前記移動局との間の伝送品質に応じて、抽出するデータ量を増減することを特徴とする請求項１に記載の移動通信システム。
【請求項３】
前記基地局の前記直接送信手段は、
前記送信データの残りを前記移動局に送信する場合の伝送速度を、前記送信データの全部を前記移動局に送信する場合の伝送速度に比べて低くすることを特徴とする請求項１又は２に記載の移動通信システム。
【請求項４】
網を介して互いに接続された複数の基地局、及び前記各基地局と通信可能な位置に存在する移動局を含んで構成された移動通信システムにて実行される移動通信方法であって、
前記基地局が、前記移動局に送信すべき送信データの一部の抽出又は全部の複製のいずれかを行い、抽出した抽出データ又は複製した複製データを他の基地局を介して前記移動局に送信する間接送信工程と、
前記基地局が、前記抽出が行われた場合には、前記送信データの残りを前記移動局に送信し、前記複製が行われた場合には、前記送信データの全部を前記移動局に送信する直接送信工程と、
前記移動局が、前記基地局及び前記他の基地局から送信された各データが同一か否かを判断する判断工程と、
前記移動局が、前記各データが同一の場合には、ダイバーシチ受信を行い、前記各データが異なる場合には、前記各データを個別に受信する受信工程と、
を有し、
前記間接送信工程は、
前記基地局が、前記送信データがリアルタイム受信を要するか否かを判断するデータ判断工程と、
前記基地局が、前記送信データがリアルタイム受信を要しない場合には、前記送信データの一部の抽出を行い、前記送信データがリアルタイム受信を要する場合には、前記送信データの全部の複製を行う選択実行工程と、
を含むことを特徴とする移動通信方法。
【請求項５】
前記間接送信工程では、
前記基地局が、前記送信データの一部の抽出を行う場合、前記基地局と前記移動局との間の伝送品質に応じて、抽出するデータ量を増減することを特徴とする請求項４に記載の移動通信方法。
【請求項６】
前記直接送信工程では、
前記基地局が、前記送信データの残りを前記移動局に送信する場合の伝送速度を、前記送信データの全部を前記移動局に送信する場合の伝送速度に比べて低くすることを特徴とする請求項４又は５に記載の移動通信方法。
【請求項７】
網を介して互いに接続された少なくとも１つの他の基地局、及び通信可能な位置に存在する移動局とともに移動通信システムを構成し、当該移動通信システムでは、前記移動局により、前記他の基地局とともに送信した各データが同一の場合には、ダイバーシチ受信が行われ、前記各データが異なる場合には、前記各データが個別に受信される、基地局であって、
前記移動局に送信すべき送信データの一部の抽出又は全部の複製のいずれかを行い、抽出した抽出データ又は複製した複製データを前記他の基地局を介して前記移動局に送信する間接送信手段と、
前記抽出が行われた場合には、前記送信データの残りを前記移動局に送信し、前記複製が行われた場合には、前記送信データの全部を前記移動局に送信する直接送信手段と、
を有し、
前記間接送信手段は、
前記送信データがリアルタイム受信を要するか否かを判断するデータ判断手段と、
前記送信データがリアルタイム受信を要しない場合には、前記送信データの一部の抽出を行い、前記送信データがリアルタイム受信を要する場合には、前記送信データの全部の複製を行う選択実行手段と、
を含むことを特徴とする基地局。
【請求項８】
前記基地局の前記間接送信手段は、
前記送信データの一部の抽出を行う場合、前記基地局と前記移動局との間の伝送品質に応じて、抽出するデータ量を増減することを特徴とする請求項７に記載の基地局。
【請求項９】
前記基地局の前記直接送信手段は、
前記送信データの残りを前記移動局に送信する場合の伝送速度を、前記送信データの全部を前記移動局に送信する場合の伝送速度に比べて低くすることを特徴とする請求項７又は８に記載の基地局。
【請求項１０】
通信可能な位置に存在し、網を介して互いに接続された複数の基地局とともに移動通信システムを構成し、当該移動通信システムでは、前記基地局により、送信データの一部の抽出又は全部の複製のいずれかが行われ、抽出した抽出データ又は複製した複製データが他の基地局を介して送信され、前記抽出が行われた場合には、前記送信データの残りが送信され、前記複製が行われた場合には、前記送信データの全部が送信される、移動局であって、
前記基地局及び前記他の基地局から送信された各データが同一か否かを判断する判断手段と、
前記各データが同一の場合には、ダイバーシチ受信を行い、前記各データが異なる場合には、前記各データを個別に受信する受信手段と、
を有する移動局。
【発明の詳細な説明】
【０００１】
【発明の属する技術分野】
本発明は、複数の基地局及び当該各基地局と通信可能な位置に存在する移動局を含んで構成された移動通信システム、当該移動通信システムにて実行される移動通信方法、基地局及び移動局に関する。
【０００２】
【従来の技術】
ＣＤＭＡ（Code Division Multiple Access）を採用する移動通信システムにおいては、通信チャネルは同一周波数上で異なる拡散コードにより多重される。このため、隣り合った基地局のセル間では、互いに異なるコードを用いることにより同一周波数を用いることができる。移動局は、これら複数の基地局から送信された信号を、各基地局に対応したコードで逆拡散することにより同時に受信することができる。同様に、移動局から送信された信号も複数の基地局で同時に受信することが可能となる。
【０００３】
ＣＤＭＡ移動通信システムではこの特徴を生かし、移動局が隣り合った基地局のセル間を移動する際に、これら複数の基地局と同時に無線リンクを接続することによって、移動局側及び基地局制御局側でそれぞれダイバーシチ受信を行い、ハンドオーバー時の品質向上と無瞬断通信とを実現している。このようなハンドオーバー方法は、ソフトハンドオーバー又はダイバーシチハンドオーバーと呼ばれている。
【０００４】
図１２は、ソフトハンドオーバーの概念図である。図示するように、移動局１が、通信中の基地局２のセル３から基地局４のセル５に移動する場合、基地局２及び４からそれぞれ送信される報知信号の受信電力の差が所定の値以下になると、基地局４とも通信を開始する。このとき、下り信号は、基地局制御局６で複製され、基地局２及び４に送信される。基地局２及び４は、それぞれに割り当てられたスクランブルコードでこの信号を拡散して移動局１に送信し、移動局１は、これらの信号を基地局２及び４に割り当てられたスクランブルコードで逆拡散し、得られたそれぞれの受信信号の最大比合成を行って信号を抽出する。上り信号については、移動局１から送信された信号が基地局２及び４でそれぞれ受信、復調され、基地局制御局６で選択合成されて網７に転送される。
【０００５】
また、一般の移動通信システムの無線回線設計では、セル全域において要求される伝送品質が満足されない場所率を劣化率として規定し、この劣化率が所定の値以下になるように変調方式や伝送速度、セルサイズ、最大送信電力等の伝送パラメータを決定する。しかし、移動局の位置が基地局に近い場合は、セル端のように遠い場合に比べ伝搬路条件が良いため、上記劣化率に基づき定められた伝送速度よりも高速伝送が可能となる場合がある。そこで、これら伝搬路条件や周囲のトラヒック状況に応じて変調パラメータを動的に制御する適応変調技術が用いられ、これにより、セル中心付近では高速伝送を行ってユーザのニーズを満たし、逆にセル端では伝送速度を落として品質を保証し、実質的なゾーン拡大の効果を得ることができる。伝送速度の制御は、変調多値数を変えたり、ＣＤＭＡであれば拡散率や使用するコード数を変えたりすることによって実現することができる。
【０００６】
【発明が解決しようとする課題】
しかしながら、上述したようなソフトハンドオーバーにあっては、同一の信号を複数の基地局から送信するため、周波数リソース及び基地局のリソース（送信電力、送信バッファ等）の使用が増加してしまう。特に、移動局がデータ通信を行っている場合には、各基地局が当該移動局に対する送信電力を相応に上げる必要があり、他の移動局に振り分け得る送信電力が相対的に減少して下り伝送容量が低下するという問題がある。このような現象は、周波数効率を向上させるために基地局間が近接し、且つトラヒックの多い都心部等で顕著となる。また、上述したような適応変調技術を用いてセル端に位置する移動局への伝送速度を低下させ基地局の送信電力を抑えても、セル端でのユーザに対するサービス性が低下するという問題がある。
【０００７】
そこで、本発明は、このような事情に鑑みてなされたものであり、基地局の使用リソースを削減し、スループット及び周波数効率を向上させることができる移動通信システム、移動通信方法、基地局及び移動局を提供することを目的とする。
【０００８】
【課題を解決するための手段】
上記目的を達成するために、本発明に係る移動通信システムは、請求項１のように、網を介して互いに接続された複数の基地局、及び各基地局と通信可能な位置に存在する移動局を含んで構成された移動通信システムであって、基地局は、移動局に送信すべき送信データの一部の抽出又は全部の複製のいずれかを行い、抽出した抽出データ又は複製した複製データを他の基地局を介して移動局に送信する間接送信手段と、抽出が行われた場合には、送信データの残りを移動局に送信し、複製が行われた場合には、送信データの全部を移動局に送信する直接送信手段と、を有し、移動局は、基地局及び他の基地局から送信された各データが同一か否かを判断する判断手段と、各データが同一の場合には、ダイバーシチ受信を行い、各データが異なる場合には、各データを個別に受信する受信手段と、を有することを特徴とする。
【０００９】
このような構成によれば、移動局が複数の基地局と通信可能な位置に存在する際に、基地局は、送信データを分割し他の基地局と分担して当該移動局に送信するのか、又は送信データを複製し他の基地局とともに同一の送信データを当該移動局に送信するのか（すなわち、ソフトハンドオーバーを行うのか）を選択することができる。したがって、送信データの送信において選択的にソフトハンドオーバーを行うことにより、基地局の使用リソースの削減を図り、スループット及び周波数効率を向上させることが可能となる。
【００１０】
また、請求項２のように、基地局の間接送信手段は、送信データがリアルタイム受信を要するか否かを判断するデータ判断手段と、送信データがリアルタイム受信を要しない場合には、送信データの一部の抽出を行い、送信データがリアルタイム受信を要する場合には、送信データの全部の複製を行う選択実行手段と、を含むことが好ましい。
【００１１】
送信データがリアルタイム受信を要しない場合には、上述のように送信データの送信を他の基地局と分担することにより実行転送速度を増加させることができ、送信データがリアルタイム受信を要する場合には、ソフトハンドオーバーを行うことにより伝送品質の向上や無瞬断通信が可能となるからである。なお、リアルタイム受信を要しない送信データとしては、例えばデータ通信等があり、リアルタイム受信を要する送信データとしては、例えばテレビ電話等の動画通信や音声通信等がある。
【００１２】
また、請求項３のように、基地局の間接送信手段は、送信データの一部の抽出を行う場合、基地局と移動局との間の伝送品質に応じて、抽出するデータ量を増減することが好ましい。
【００１３】
伝送品質が悪い場合には、抽出するデータ量を増加させることにより他の基地局から送信するデータ量を増加させ、移動局側における伝送速度を補償することができ、伝送品質が良い場合には、前述とは逆に抽出するデータ量を減少させることにより、同様の効果が得られるからである。伝送品質の一例として伝送速度があり、伝送速度が低い場合には抽出するデータ量を増加させ、伝送速度が高い場合には抽出するデータ量を減少させればよい。また、このような伝送品質に応じた送信データの振り分けを行うことにより、複数の基地局を制御するためのノードを設ける必要もない。
【００１４】
さらに、請求項４のように、基地局の直接送信手段は、送信データの残りを移動局に送信する場合の伝送速度を、送信データの全部を移動局に送信する場合の伝送速度に比べて低くすることが好ましい。
【００１５】
伝送速度を低くすることにより当該移動局に対する送信電力を抑えることができ、その分の送信電力を他の移動局に振り分けて基地局当たりの収容能力を増加させることが可能となるからである。このとき、当該移動局は分割された送信データを複数の基地局から並列で受信することになるため、移動局側における伝送速度が補償され、ユーザに対するサービス性の低下も防止される。
【００１６】
上記請求項１〜４に係る移動通信システムについての発明は、移動通信方法、基地局、移動局の視点から捉えると、以下のように記述することができる。これらは上記移動通信システムの発明と同じ技術的思想に基づくものであり、その解決手段も上記と同じ思想に基づくものである。
【００１７】
本発明に係る移動通信方法は、請求項７のように、網を介して互いに接続された複数の基地局、及び各基地局と通信可能な位置に存在する移動局を含んで構成された移動通信システムにて実行される移動通信方法であって、基地局が、移動局に送信すべき送信データの一部の抽出又は全部の複製のいずれかを行い、抽出した抽出データ又は複製した複製データを他の基地局を介して移動局に送信する間接送信工程と、基地局が、抽出が行われた場合には、送信データの残りを移動局に送信し、複製が行われた場合には、送信データの全部を移動局に送信する直接送信工程と、移動局が、基地局及び他の基地局から送信された各データが同一か否かを判断する判断工程と、各データが同一の場合には、ダイバーシチ受信を行い、各データが異なる場合には、各データを個別に受信する受信工程と、を有することを特徴とする。
【００１８】
なお、請求項８のように、間接送信工程は、基地局が、送信データがリアルタイム受信を要するか否かを判断するデータ判断工程と、基地局が、送信データがリアルタイム受信を要しない場合には、送信データの一部の抽出を行い、送信データがリアルタイム受信を要する場合には、送信データの全部の複製を行う選択実行工程と、を含むことが好ましい。
【００１９】
また、請求項９のように、間接送信工程では、基地局が、送信データの一部の抽出を行う場合、基地局と移動局との間の伝送品質に応じて、抽出するデータ量を増減することが好ましい。
【００２０】
さらに、請求項１０のように、直接送信工程では、基地局が、送信データの残りを移動局に送信する場合の伝送速度を、送信データの全部を移動局に送信する場合の伝送速度に比べて低くすることが好ましい。
【００２１】
また、本発明に係る基地局は、請求項１３のように、網を介して互いに接続された少なくとも１つの他の基地局、及び通信可能な位置に存在する移動局とともに移動通信システムを構成し、当該移動通信システムでは、移動局により、他の基地局とともに送信した各データが同一の場合には、ダイバーシチ受信が行われ、各データが異なる場合には、各データが個別に受信される、基地局であって、移動局に送信すべき送信データの一部の抽出又は全部の複製のいずれかを行い、抽出した抽出データ又は複製した複製データを他の基地局を介して移動局に送信する間接送信手段と、抽出が行われた場合には、送信データの残りを移動局に送信し、複製が行われた場合には、送信データの全部を移動局に送信する直接送信手段と、を有することを特徴とする。
【００２２】
なお、請求項１４のように、基地局の間接送信手段は、送信データがリアルタイム受信を要するか否かを判断するデータ判断手段と、送信データがリアルタイム受信を要しない場合には、送信データの一部の抽出を行い、送信データがリアルタイム受信を要する場合には、送信データの全部の複製を行う選択実行手段と、を含むことが好ましい。
【００２３】
また、請求項１５のように、基地局の間接送信手段は、送信データの一部の抽出を行う場合、基地局と移動局との間の伝送品質に応じて、抽出するデータ量を増減することが好ましい。
【００２４】
さらに、請求項１６のように、基地局の直接送信手段は、送信データの残りを移動局に送信する場合の伝送速度を、送信データの全部を移動局に送信する場合の伝送速度に比べて低くすることが好ましい。
【００２５】
また、本発明に係る移動局は、請求項１７のように、通信可能な位置に存在し、網を介して互いに接続された複数の基地局とともに移動通信システムを構成し、当該移動通信システムでは、基地局により、送信データの一部の抽出又は全部の複製のいずれかが行われ、抽出した抽出データ又は複製した複製データが他の基地局を介して送信され、抽出が行われた場合には、送信データの残りが送信され、複製が行われた場合には、送信データの全部が送信される、移動局であって、基地局及び他の基地局から送信された各データが同一か否かを判断する判断手段と、各データが同一の場合には、ダイバーシチ受信を行い、各データが異なる場合には、各データを個別に受信する受信手段と、を有することを特徴とする。
【００３７】
【発明の実施の形態】
以下、図面とともに本発明の好適な実施形態について詳細に説明する。なお、本実施形態では、ＣＤＭＡ移動通信システムおいて、移動局と通信可能な位置に存在する基地局が２つの場合について説明するが、本発明は、これに限られるものではなく、他の通信方式や、或いは基地局が３つ以上の場合にも適用可能である。
【００３８】
［第１実施形態］
本発明の第１実施形態について図１〜図６を用いて説明する。図１は、データ通信等のリアルタイム受信を要しない場合の移動通信システム１０の概念図であり、図２は、テレビ電話等の動画通信や音声通信等のリアルタイム受信を要する場合の移動通信システム１０の概念図である。
【００３９】
図１に示すように、移動局１２は、基地局１４とデータ通信（移動局１２宛ての送信データがリアルタイム受信を要しない場合の一例）を行っており、基地局１４の無線ゾーンから基地局１６の無線ゾーンへと移動しつつある。このとき、移動局１２は、ハンドオーバー状態となり、基地局１４及び基地局１６と同時に無線リンクを確立し通信状態となる。なお、基地局１４及び基地局１６は、網１８を介して互いに接続されている。
【００４０】
このような状態で、移動局１２宛てのパケット２０及びパケット２２が網１８側から基地局１４に転送されると、基地局１４は、パケット２０及びパケット２２からパケット２２のみを抽出し、パケット２２を基地局１６を介して移動局１２に送信する。また、基地局１４は、残りのパケット２０を直接移動局１２に送信する。移動局１２は、異なるパケット２０及びパケット２２を基地局１４及び基地局１６からそれぞれ個別に受信する。
【００４１】
このように、データ通信等、移動局１２宛ての送信データがリアルタイム受信を要しない場合には、当該送信データを２つの基地局１４及び基地局１６で分担して送信することにより、それぞれの伝送速度を落としても、移動局１２すなわちユーザ側での伝送速度を一定に保つことができ、セル端に位置する移動局１２と通信を行う場合でも、基地局１４及び基地局１６の送信電力を抑えることが可能となる。
【００４２】
図２に示す状態は、上述した図１に示す状態と同じであるが、移動局１２が、基地局１４と音声通信（移動局１２宛ての送信データがリアルタイム受信を要する場合の一例）を行っている点が異なる。
【００４３】
このような状態で、移動局１２宛てのパケット２４が網１８側から基地局１４に転送されると、基地局１４は、パケット２４の全部を複製し、複製したパケット２４を基地局１６を介して移動局１２に送信する。また、基地局１４は、自らもパケット２４を直接移動局１２に送信する。移動局１２は、同一のパケット２４が基地局１４及び基地局１６からそれぞれ送信され、ダイバーシチ受信を行う。
【００４４】
このように、音声通信等、移動局１２宛ての送信データがリアルタイム受信を要する場合には、ソフトハンドオーバーを行うことにより伝送品質の向上や無瞬断通信が可能となる。
【００４５】
次に、移動通信システム１０における基地局１４及び移動局１２の構成についてそれぞれ説明する。図３は、基地局１４のブロック構成図であり、図４は、移動局１２の受信系のブロック構成図である。
【００４６】
基地局１４は、図３に示すように、移動局に対して信号の送受信を行うための複数のアンテナ２６と、アンテナ２６により送信する送信信号又は受信された受信信号を多重化するための多重化装置２８（ＭＵＸ：multiplexer）と、送信信号を増幅する送信アンプ３０と、受信信号を増幅する受信増幅器３２と、Ａ／Ｄ変換等を行う無線変復調部３４と、送信信号に対する拡散及び受信信号に対する逆拡散を行ってＲａｋｅ合成等を行うベースバンド信号処理部３６と、パケット信号の処理を行うパケット処理部３８とを備えている。
【００４７】
パケット処理部３８は、有線伝送路インターフェース部４０を介して転送されてきた移動局１２宛てのパケット信号がデータ等、リアルタイム受信を要しない場合には、当該パケット信号のうち一部の抽出を行い抽出したパケットを有線伝送路インターフェース部４０及び網１８を介して移動先の基地局１６から移動局１２に間接的に送信するとともに、移動局１２宛てのパケット信号のうち残ったパケットを移動局１２に直接送信する。また、移動局１２宛てのパケット信号が音声等、リアルタイム受信を要する場合には、当該パケット信号を複製し、有線伝送路インターフェース部４０及び網１８を介して移動先の基地局１６から移動局１２に間接的に送信するとともに、当該パケット信号を自らも移動局１２に直接送信する。
【００４８】
なお、以上の無線変復調部３４、ベースバンド信号処理部３６、パケット処理部３８及び有線伝送路インターフェース部４０は、制御部４２により制御される。
【００４９】
移動局１２は、例えば同時に４つの基地局（チャネル）から送信される信号を受信できるよう構成されている。図４に示すように、移動局１２は、基地局から送信された信号を受信するアンテナ４４と、受信信号を増幅、直交検波及びＡ／Ｄ変換する無線部４６と、無線部４６から転送された信号をコード多重されたチャネル毎に分離する４つのマッチドフィルタ４８と、受信信号に応じてＲａｋｅ合成を行うＲａｋｅ合成部５０と、Ｒａｋｅ合成部５０から転送された信号に対しデインターリーブ、誤り訂正を行ってパケット信号を取り出すベースバンド処理部５２と、取り出されたパケット信号の処理を行うパケット処理部５４とを備えている。
【００５０】
Ｒａｋｅ合成部５０は、受信信号がデータ等、リアルタイム受信を要しない場合には、各チャネルのＲａｋｅ合成は行わず、各チャネルに対応したベースバンド処理部５２に受信信号を転送する。また、受信信号が音声等、リアルタイム受信を要する場合には、各チャネルの出力をシンボル単位でＲａｋｅ合成を行い、任意の１系統のベースバンド処理部５２へ転送する。
【００５１】
パケット処理部５４は、パケット信号がデータパケットの場合は、パケットの順序制御を行ってデータインターフェース５６を介してデータカード等に転送する。また、パケット信号が音声パケットの場合は、音声変換処理を行いスピーカ５８を用いて再生する。
【００５２】
なお、Ｒａｋｅ合成部５０及びパケット処理部５４には、ＣＰＵ６０、メモリ６２、キーボード６４及びディスプレイ６６がバス接続されており、Ｒａｋｅ合成部５０及びパケット処理部５４はＣＰＵ６０により制御される。
【００５３】
次に、移動通信システム１０における基地局１４及び移動局１２の動作についてそれぞれ説明する。図５は、基地局１４の制御フローチャートであり、図６は、移動局１２の制御フローチャートである。
【００５４】
基地局１４では、図５に示すように、通信中の移動局１２から移動先の基地局１６の情報（識別子等）を含むハンドオーバーの要求があった場合（ステップＳ１００）、通信中のパケットが移動局１２にとってリアルタイム受信を要するか否かが判断される（ステップＳ１０２）。
【００５５】
リアルタイム受信を要しない場合には、移動局１２との最適な伝送速度が算出され、実際の現在の伝送速度との比Ｘが算出される（ステップＳ１０４）。最適な伝送速度は、例えば、誤り率を所定の値に維持したまま移動局１４に対する送信電力を所定の値に抑え得る符号拡散率により算出してもよいし、一律に現在の伝送速度の半分にすると決めてもよい。そして、基地局１４に到着している移動局１２宛てのパケットのうち（１−Ｘ）の割合分のパケットが抽出され、移動先の基地局１６を介して間接的に移動局１２に送信されるとともに、移動局１２宛てのパケットのうち残ったパケットが直接移動局１２に送信される（ステップＳ１０６）。そして、移動局１２又は移動先の基地局１６からハンドーオーバー終了の指示があった場合（ステップＳ１０８）、移動局１２へのパケットの送信が終了される。
【００５６】
また、リアルタイム受信を要する場合には、移動局１２宛てのパケットの全部が複製され（ステップＳ１１０）、複製したパケットが移動先の基地局１６を介して間接的に移動局１２に送信されるとともに、基地局１４自らによっても同一のパケットが直接移動局１２に送信される（ステップＳ１１２）。そして、移動局１２又は移動先の基地局１６からハンドーオーバー終了の指示があった場合（ステップＳ１１４）、移動局１２へのパケットの送信が終了される。
【００５７】
移動局１２では、図６に示すように、通信中の基地局１４及び周囲の基地局１６から送信される報知信号が常時モニタされており、両者間の報知信号の受信レベルの差が所定の値以下になった場合（ステップＳ１１６）、通信中の基地局１４に、移動先の基地局１６の情報（識別子等）を含むハンドオーバーが要求され（ステップＳ１１８）、移動先の基地局１６とのリンクが確立され通信が開始される（スッテプ１２０）。そして、通信中のパケットが移動局１２にとってリアルタイム受信を要するか否かが判断される（ステップＳ１２２）。
【００５８】
リアルタイム受信を要しない場合には、移動元の基地局１４及び移動先の基地局１６からそれぞれ送信された異なるパケットが個別に受信され（ステップＳ１２６）、復調、ベースバンド処理が行われ、抽出された受信パケットの順序が並び替えられる（ステップＳ１２６）。パケットの並び替えは、例えばパケットにシーケンス番号を付与することにより実現することができる。なお、順序制御されたパケットは、データインターフェースに転送される。そして、移動先の基地局１６からの受信電力が所定の値以上になった場合（ステップＳ１２８）、移動元の基地局１４又は移動先の基地局１６にハンドオーバーの終了が指示される（ステップＳ１３０）。
【００５９】
また、リアルタイム受信を要する場合には、移動元の基地局１４及び移動先の基地局１６からそれぞれ送信された同一のパケットがダイバーシチ受信される（ステップＳ１３２）。そして、移動先の基地局１６からの受信電力が所定の値以上になった場合（ステップＳ１３４）、ステップＳ１３０に移行する。
【００６０】
以上説明したように、第１実施形態によれば、移動局１２が通信中の基地局１４とともに移動先の基地局１６とも通信可能な位置に移動した場合に、基地局１４は、移動局１２宛てのパケットを分割し移動先の基地局１６と分担して移動局１２に送信するのか、又は当該パケットを複製し移動先の基地局１６とともに同一のパケットを移動局１２に送信するのかを選択することができる。したがって、移動局１２宛てのパケットの送信において選択的にソフトハンドオーバーを行うことにより、基地局１４及び基地局１６の使用リソースの削減を図り、スループット及び周波数効率を向上させることが可能となる。
【００６１】
また、移動局１２宛てのパケットがリアルタイム受信を要しない場合には、当該パケットの送信を移動先の基地局１６と分担することにより実行転送速度を増加させることができ、当該パケットがリアルタイム受信を要する場合には、ソフトハンドオーバーを行うことにより伝送品質の向上や無瞬断通信が可能となる。
【００６２】
また、移動局１２と基地局１４との間の実際の伝送速度に応じて、当該伝送速度が低い場合には、抽出するパケット量が増加させられることにより移動先の基地局１６から送信するパケット量を増加させ、移動局１２側における伝送速度を補償することができ、伝送速度が高い場合には、前述とは逆に抽出するパケット量が減少させられることにより、同様の効果が得られる。
【００６３】
なお、基地局１４が、移動局１２宛てのパケットがリアルタイム受信を要する場合に比べて、当該パケットがリアルタイム受信を要しない場合に移動局１２に直接送信するパケットの伝送速度を低くすれば、移動局１２に対する送信電力を抑えることができ、その分の送信電力を他の移動局に振り分けて基地局１４当たりの収容能力を増加させることが可能となる。また、このとき移動局１２は、分割された移動局１２宛てのパケットを移動先の基地局１６からも並列で受信するため、移動局１２側における伝送速度が補償され、ユーザに対するサービス性の低下も防止される。
【００６４】
［第２実施形態］
本発明の第２実施形態について図７〜図１１を用いて説明する。図７は、データ通信等のリアルタイム受信を要しない場合の移動通信システム７０の概念図であり、図８は、テレビ電話等の動画通信や音声通信等のリアルタイム受信を要する場合の移動通信システム７０の概念図である。
【００６５】
図７に示すように、移動局７２は、基地局７４を介して基地局制御局７８とデータ通信（移動局７２宛ての送信データがリアルタイム受信を要しない場合の一例）を行っており、基地局７４の無線ゾーンから基地局７６の無線ゾーンへと移動しつつある。このとき、移動局７２は、ハンドオーバー状態となり、基地局７４及び基地局７６と同時に無線リンクを確立し通信状態となる。なお、基地局制御局７８は、基地局７４及び基地局７６とそれぞれ接続されている。
【００６６】
このような状態で、基地局制御局７８が網１８側から移動局７２宛てのパケット８０を受信すると、基地局制御局７４は、基地局７４及び基地局７６それぞれの報知信号の受信レベル及びトラヒック状況に基づいて基地局７４又は基地局７６のうちいずれか１つを選択し、パケット８０を送信する。図７は、移動先の基地局７６が選択された状態を示しているが、通信中であった移動元の基地局７４が選択される場合もある。移動局７２は、選択された基地局７６からパケット８０を受信する。
【００６７】
このように、データ通信等、移動局７２宛ての送信データがリアルタイム受信を要しない場合には、基地局制御局７８が当該送信データを基地局１４又は基地局１６のうちいずれか１つを介して移動局７２に送信することにより、基地局７４及び基地局７６の使用リソースを削減することができる。
【００６８】
図８に示す状態は、上述した図７に示す状態と同じであるが、移動局７２が、基地局７４を介して基地局制御局７８と音声通信（移動局７２宛ての送信データがリアルタイム受信を要する場合の一例）を行っている点が異なる。
【００６９】
このような状態で、基地局制御局７８が網１８側から移動局７２宛てのパケット８２を受信すると、基地局制御局７４は、基地局７４及び基地局７６それぞれにパケット８２を送信する。移動局１２は、パケット８２が基地局７４及び基地局７６からそれぞれ送信され、ダイバーシチ受信を行う。
【００７０】
このように、音声通信等、移動局７２宛ての送信データがリアルタイム受信を要する場合には、ソフトハンドオーバーを行うことにより伝送品質の向上や無瞬断通信が可能となる。
【００７１】
次に、移動通信システム７０における基地局制御局７８及び移動局７２の構成についてそれぞれ説明する。
【００７２】
基地局制御局７８は、上述した第１実施形態における基地局１４と同等の構成を採っており（図３参照）、基地局１４では複数の移動局とアンテナ２６により無線で信号の送受信が行われるのに対し基地局制御局７８では複数の基地局と有線により信号の送受信が行われる点、及び制御部４２によるパケット処理部３８の動作が異なる。
【００７３】
基地局制御局７８のパケット処理部は、網１８側から転送されてきた移動局７２宛てのパケット信号がデータ等、リアルタイム受信を要しない場合には、基地局７４及び基地局７６それぞれの報知信号の受信レベル及びトラヒック状況に基づいて基地局７４又は基地局７６のうちいずれか１つを選択し、当該パケット信号を送信する。また、移動局７２宛てのパケット信号が音声等、リアルタイム受信を要する場合には、当該パケット信号を基地局７４又は基地局７６それぞれに送信する。
【００７４】
移動局７２は、例えば同時に３つの基地局（チャネル）から送信される信号を受信できるよう構成されており、アンテナ４４、無線部４６及びマッチドフィルタ４８等の構成は上述した第１実施形態における移動局１２と同一であるため説明を省略する。図９は、移動局７２の受信系のブロック構成図である。
【００７５】
図示するように、移動局７２は、アンテナ４４と、無線部４６と、マッチドフィルタ４８と、分離されたチャネル毎の信号のＲａｋｅ合成を行うＲａｋｅ合成部８４と、Ｒａｋｅ合成部８４から転送された信号に対しデインターリーブ、誤り訂正を行ってパケット信号を取り出すベースバンド処理部８６とを備えている。
【００７６】
ベースバンド処理部８６は、パケット信号がデータパケットの場合は、データインターフェース５６を介してデータカード等に転送し、パケット信号が音声パケットの場合は、音声変換処理を行いスピーカ５８を用いて再生する。
【００７７】
なお、Ｒａｋｅ合成部８４及びパケット処理部８６には、ＣＰＵ８８、メモリ６２、キーボード６４及びディスプレイ６６がバス接続されており、Ｒａｋｅ合成部８４及びパケット処理部８６はＣＰＵ８８により制御される。
【００７８】
次に、移動通信システム７０における基地局制御局７８及び移動局７２の動作についてそれぞれ説明する。図１０は、基地局制御局７８の制御フローチャートであり、図１１は、移動局７２の制御フローチャートである。
【００７９】
基地局制御局７８では、図１０に示すように、基地局７４を介して通信中の移動局７２から移動先の基地局１６の情報（識別子等）を含むハンドオーバーの要求があった場合（ステップＳ１４０）、通信中のパケットが移動局７２にとってリアルタイム受信を要するか否かが判断される（ステップＳ１４２）。
【００８０】
リアルタイム受信を要しない場合には、移動局７２から通知される基地局７４及び基地局７６それぞれの報知信号の受信レベル、及び基地局７４及び基地局７６それぞれのトラヒック状況に基づいて、基地局７４又は基地局７６のうちいずれか１つが選択される（ステップＳ１４４）。この基地局の選択は、例えば、トラヒック負荷が所定の値以下となる基地局のうち、移動局における報知信号の受信電力が最も高い基地局を選択することにより行われる。そして、選択した基地局７６が移動局７２に通知されるとともに、移動局７２宛てのパケットが基地局７６に送信される（ステップＳ１４６）。そして、移動局７２又は移動先の基地局７６からハンドーオーバー終了の指示があった場合（ステップＳ１４８）、ステップＳ１４４以降の処理が終了される。
【００８１】
また、リアルタイム受信を要する場合には、移動局７２宛てのパケットが複製され（ステップＳ１５０）、移動元の基地局７４及び移動先の基地局７６が移動局７２に通知されるとともに、移動局７２宛てのパケットが基地局７４及び基地局７６にそれぞれ送信される（ステップＳ１５２）。そして、移動局７２又は移動先の基地局７６からハンドーオーバー終了の指示があった場合（ステップＳ１５４）、移動元の基地局７４へのパケットの送信が停止される（ステップＳ１５６）。
【００８２】
移動局７２では、図１１に示すように、通信中の基地局７４及び周囲の基地局７６から送信される報知信号が常時モニタされており、両者間の報知信号の受信レベルの差が所定の値以下になった場合（ステップＳ１５８）、通信中の基地局７４を介して基地局制御局７８に、移動先の基地局７６の情報（識別子等）を含むハンドオーバーが要求され（ステップＳ１６０）、移動先の基地局７６とのリンクが確立され通信が開始される（スッテプ１６２）。そして、通信中のパケットが移動局７２にとってリアルタイム受信を要するか否かが判断される（ステップＳ１６４）。
【００８３】
リアルタイム受信を要しない場合には、基地局制御局７８により指定された基地局７６から送信されたパケットが受信される（ステップＳ１６６）。同時に、周辺基地局の受信状態に関する情報がアップデートされ、基地局制御局７８に通知される（ステップＳ１６８）。これは、例えば個別チャネルに付随した制御チャネル等を用いて行うことができる。そして、移動先の基地局７６からの受信電力が所定の値以上になった場合（ステップＳ１７０）、基地局制御局７８にハンドオーバーの終了が指示される（ステップＳ１７２）。
【００８４】
また、リアルタイム受信を要する場合には、移動元の基地局７４及び移動先の基地局７６からそれぞれ送信されたパケットがダイバーシチ受信される（ステップＳ１７４）。そして、移動先の基地局７６からの受信電力が所定の値以上になった場合（ステップＳ１７６）、ステップＳ１７２に移行する。
【００８５】
以上説明したように、第２実施形態によれば、移動局７２が通信中の基地局７４とともに移動先の基地局７６とも通信可能な位置に移動した場合に、基地局制御局７８は、移動局７２宛てのパケットを基地局７４及び基地局７６それぞれを介して移動局７２に送信するのか、又は当該パケットを基地局７４又は基地局７６のうち１つの基地局のみを介して移動局７２に送信するのかを選択することができる。したがって、移動局７２宛てのパケットの送信において選択的にソフトハンドオーバーを行うことにより、基地局７２及び基地局７６の使用リソースの削減を図り、スループット及び周波数効率を向上させることが可能となる。
【００８６】
また、移動局７２宛てのパケットがリアルタイム受信を要しない場合には、当該パケットの送信を選択した１つの基地局７６のみを介して行うことにより基地局の使用リソースを削減することができ、当該パケットがリアルタイム受信を要する場合には、ソフトハンドオーバーを行うことにより伝送品質の向上や無瞬断通信が可能となる。
【００８７】
【発明の効果】
以上に説明したように、本発明によれば、移動局が複数の基地局と通信可能な位置に存在する際に、基地局は、送信データを分割し他の基地局と分担して当該移動局に送信するのか、又は送信データを複製し他の基地局とともに同一の送信データを当該移動局に送信するのか（すなわち、ソフトハンドオーバーを行うのか）を選択することができる。したがって、送信データの送信において選択的にソフトハンドオーバーを行うことにより、基地局の使用リソースの削減を図り、スループット及び周波数効率を向上させることが可能となる。
【００８８】
このとき、送信データがリアルタイム受信を要しない場合には、上述のように送信データの送信を他の基地局と分担することにより実行転送速度を増加させることができ、送信データがリアルタイム受信を要する場合には、ソフトハンドオーバーを行うことにより伝送品質の向上や無瞬断通信が可能となる。
【００８９】
また、移動局が複数の基地局と通信可能な位置に存在する際に、基地局制御局は、送信データを各基地局を介して当該移動局に送信するのか（すなわち、ソフトハンドオーバーを行うか）、又は送信データを１つの基地局のみを介して当該移動局に送信するのかを選択することができる。したがって、送信データの送信において選択的にソフトハンドオーバーを行うことにより、基地局の使用リソースの削減を図り、スループット及び周波数効率を向上させることが可能となる。
【００９０】
このとき、送信データがリアルタイム受信を要する場合には、ソフトハンドオーバーを行うことにより伝送品質の向上や無瞬断通信が可能となり、送信データがリアルタイム受信を要しない場合には、上述のように送信データの送信を１つの基地局のみを介して行うことにより他の基地局の使用リソースを削減することができる。
【図面の簡単な説明】
【図１】第１実施形態におけるリアルタイム受信を要しない場合の移動通信システムの概念図である。
【図２】第１実施形態におけるリアルタイム受信を要する場合の移動通信システムの概念図である。
【図３】第１実施形態における基地局のブロック構成図である。
【図４】第１実施形態における移動局の受信系のブロック構成図である。
【図５】第１実施形態における基地局の制御フローチャートである。
【図６】第１実施形態における移動局の制御フローチャートである。
【図７】第２実施形態におけるリアルタイム受信を要しない場合の移動通信システムの概念図である。
【図８】第２実施形態におけるリアルタイム受信を要する場合の移動通信システムの概念図である。
【図９】第２実施形態における移動局の受信系のブロック構成図である。
【図１０】第２実施形態における基地局制御局の制御フローチャートである。
【図１１】第２実施形態における移動局の制御フローチャートである。
【図１２】従来のソフトハンドオーバーの概念図である。
【符号の説明】
１０、７０…移動通信システム、１２、７２…移動局、１４、１６、７４、７６…基地局、１８…網、２０、２２、２４、８０、８２…パケット、７８…基地局制御局。
【図１】
0004036627.tif 000002
【図２】
0004036627.tif 000003
【図３】
0004036627.tif 000004
【図４】
0004036627.tif 000005
【図５】
0004036627.tif 000006
【図６】
0004036627.tif 000007
【図７】
0004036627.tif 000008
【図８】
0004036627.tif 000009
【図９】
0004036627.tif 000010
【図１０】
0004036627.tif 000011
【図１１】
0004036627.tif 000012
【図１２】
0004036627.tif 000013